【手続補正書】
【提出日】平成17年11月29日(2005.11.29)
【手続補正１】
【補正対象書類名】明細書
【補正対象項目名】発明の名称
【補正方法】変更
【補正の内容】
【発明の名称】画像形成システム、画像形成装置、印刷情報収集サーバ及びその制御方法、並びに、コンピュータプログラム及びコンピュータ可読記憶媒体
【手続補正２】
【補正対象書類名】明細書
【補正対象項目名】特許請求の範囲
【補正方法】変更
【補正の内容】
【特許請求の範囲】
【請求項１】
原稿画像を読み取り複写する少なくとも１つの画像形成装置と、前記画像形成装置から回線を介して複写情報を受信する印刷情報収集装置と、前記画像形成装置が有する表示部に表示するための広告情報を配信する少なくとも１つの広告データ配信装置で構成される画像形成システムであって、
前記印刷情報収集装置は、
前記画像形成装置の複写枚数に関する情報を受信する複写枚数情報受信手段と、
受信した複写枚数を累積記憶する複写枚数記憶手段と、
画像形成装置から、サービス利用要求の通知があったとき、通知されたサービス利用要求の通知情報に応じて前記記憶手段に記憶された複写枚数情報に基づくサービスに利用可能な情報を更新する記憶更新手段と、
通知されたサービス利用要求の通知情報に基づき、広告データの受信・配信を許可するための許可情報を前記画像形成装置、及び前記広告データ配信装置に通知する許可情報通知手段とを備え、
前記広告データ配信装置は、
前記許可情報通知手段で通知された許可情報を記憶保持する第１の記憶保持手段と、
前記記憶保持手段に記憶保持された許可情報と共に広告データを前記画像形成装置に送信する広告データ送信手段とを備え、
前記画像形成装置は、
複写が行われたとき、複写枚数を前記印刷情報収集装置に通知する印刷情報通知手段と、
操作者から過去の累積複写枚数に基づく前記広告データ配信装置側が提供するサービスの利用要求があった場合、当該利用要求を少なくとも前記印刷情報収集装置に通知するサービス利用要求手段と、
前記印刷情報収集装置から前記許可情報を受信し、記憶保持する第２の記憶保持手段と、
前記広告データ配信装置の前記広告データ送信手段による広告データの送信があったとき、前記第２の記憶手段に記憶保持された許可情報と照合して、広告データを受信するか否かを判定する判定手段と、
該判定手段により、照合できたと判断した場合、広告データを受信及び記憶し、表示手段に広告データを表示する表示制御手段とを備える
ことを特徴とする画像形成システム。
【請求項２】
前記印刷情報収集装置は、サービス利用要求があった場合、通知されたサービス利用要求の通知情報に基づき、広告表示の延長時間を算出する手段を備え、前記許可情報通知手段は、前記許可情報及び算出された延長時間を示す情報を前記画像形成装置及び前記広告データ配信装置に通知し、
前記画像形成装置は、
受信した前記許可情報を記憶保持し、受信した延長時間情報に基づいて広告表示可能時間を延長して残余表示時間を更新する手段を備え、
前記判定手段で許可情報の照合処理で合致すると判定し、尚且つ、残余表示時間が存在する場合に、広告データの受信を許可する
ことを特徴とする請求項１に記載の画像形成システム。
【請求項３】
前記印刷情報収集装置は、前記複写枚数記憶手段に記憶されている複写枚数に基づいて前記広告データ配信装置用のポイント数に換算し、当該広告データ配信装置に通知する手段を備え、
前記広告データ配信装置は、通知されたポイント数に応じて利用可能なサービス内容を前記画像形成装置に通知する手段を備え、
前記画像形成装置は、通知された利用可能なサービス内容を前記表示手段に、操作者による選択可能に表示し、選択されたサービス内容を示す情報を前記印刷情報収集装置に通知する手段を備えることを特徴とする請求項１又は２に記載の画像形成システム。
【請求項４】
前記画像形成装置は、残余表示時間がある限り、複写処理が開始されてから終了するまでの期間、前記広告データに基づく広告を前記表示手段に表示することを特徴とする請求項２に記載の画像形成システム。
【請求項５】
原稿画像を読み取り複写する画像形成装置と、前記画像形成装置が有する表示部に表示するための広告情報を配信する広告データ配信装置で構成される画像形成システムであって、
前記画像形成装置は、
複写が行われたときの複写枚数を累積加算し、記憶する記憶手段と、
操作者から、前記広告データ配信装置側が提供するサービス利用要求があったとき、利用要求のあったサービスの情報に応じて前記記憶手段に記憶された複写枚数情報に基づくサービスに利用可能な情報を更新する記憶更新手段と、
前記利用要求のあったサービスの情報に基づき、広告データの配信を許可するための許可情報を前記広告データ配信装置に通知する許可情報通知手段と、
前記広告データ配信装置から通知した許可情報を含む広告情報を受信したとき、当該広告情報を受信する広告情報受信手段とを備え、
前記広告データ配信装置は、
前記許可情報通知手段で通知された許可情報を記憶保持する記憶保持手段と、
前記記憶保持手段に記憶保持された許可情報と共に広告データを前記画像形成装置に送信する広告データ送信手段とを備える
ことを特徴とする画像形成システム。
【請求項６】
前記画像形成装置は、サービス利用要求があった場合、サービス利用に消費された複写枚数に基づき、広告表示の延長時間を算出し、算出して得た延長時間に基づき広告の表示可能時間を延長して残余表示時間を更新する手段と、
前記広告情報受信手段は、許可情報の照合処理で合致すると判定し、尚且つ、残余表示時間が存在する場合に、広告データの受信を許可することを特徴とする請求項５に記載の画像形成システム。
【請求項７】
前記画像形成装置は、残余表示時間がある限り、複写処理が開始されてから終了するまでの期間、前記広告データに基づく広告を前記表示手段に表示することを特徴とする請求項６に記載の画像形成システム。
【請求項８】
広告データを配信する少なくとも１つの広告データ配信装置と回線を介して通信する通信手段と、複写操作に係る表示部を有する画像形成装置であって、
該通信手段により前記配信装置からの広告データを受信する広告受信手段と、
複写開始の指示があってから、複写処理が完了するまでの期間、前記広告受信手段で受信した広告情報に基づく広告を前記表示部に表示する表示制御手段と
を備えることを特徴とする画像形成装置。
【請求項９】
更に、複写処理する毎に、複写枚数を累積加算し、その結果を保持する複写枚数記憶手段と、
該複写枚数記憶手段に記憶された複写枚数に基づいて、前記広告主が提供するサービス利用のためのサービスポイント情報に換算する換算手段と、
該換算手段で得られたサービスポイント情報を前記通信手段を介して前記配信装置に通知するサービスポイント通知手段と、
該サービスポイント通知手段による通知の結果、前記配信装置から送出されてくる利用可能なサービス内容を、操作者が選択可能な形態で前記表示部に表示するサービス内容表示手段と
を備えることを特徴とする請求項８に記載の画像形成装置。
【請求項１０】
原稿画像を読み取り複写する画像形成装置、及び、前記画像形成装置が有する表示部に表示するための広告情報を前記画像形成装置に配信する広告データ配信装置の双方と通信可能であって、前記画像形成装置の複写情報を収集する印刷情報収集サーバであって、
前記画像形成装置が複写処理した場合、当該画像形成装置の複写枚数に関する情報を受信し、当該画像形成装置用に用意された複写枚数記憶手段を更新する第１の更新手段と、
前記画像形成装置から、前記広告データ配信装置側が提供するサービスのうち、過去の複写枚数に見合ったサービスの利用要求があったとき、利用要求されたサービスに応じた分だけ前記複写枚数記憶手段に記憶された複写枚数情報に基づくサービスに利用可能な情報を更新する第２の更新手段と、
前記画像形成装置でのサービス利用に消費された複写枚数に基づき、広告データの受信・配信を許可するための許可情報を前記画像形成装置及び前記広告データ配信装置に通知する許可情報通知手段と
を備えることを特徴とする印刷情報収集サーバ。
【請求項１１】
前記許可情報通知手段は、利用要求されたサービスに基づく広告の延長時間情報をも前記画像形成装置に通知することを特徴とする請求項１０に記載の印刷情報収集サーバ。
【請求項１２】
前記画像形成装置を特定する情報と当該画像形成装置に広告データを配信する広告データ配信装置とを対応づけて複数組記憶する手段を備え、第１、第２の更新手段及び許可情報通知手段は個々の対応関係において実行することを特徴とする請求項１０又は１１に記載の印刷情報収集サーバ。
【請求項１３】
原稿画像を読み取り複写する画像形成装置と通信可能なサービス提供サーバであって、
前記画像形成装置の複写枚数に関する情報を受信する受信手段と、
前記複写枚数に関する情報に基づいて提供可能なサービスを決定する決定手段と、
前記決定手段により決定された提供可能なサービスに関する表示情報を前記画像形成装置に対して提供する提供手段と
を有することを特徴とするサービス提供サーバ。
【請求項１４】
更に、前記決定手段は、サービスに利用できる複写枚数を計数する計数手段を有し、前記サービスに利用できる複写枚数に基づいて提供可能なサービスを決定することを特徴とする請求項１３に記載のサービス提供サーバ。
【請求項１５】
原稿画像を読み取り複写する画像形成装置、及び、記画像形成装置が有する表示部に表示するための広告情報を前記画像形成装置に配信する広告データ配信装置の双方と通信可能であって、前記画像形成装置の複写情報を収集する印刷情報収集サーバの制御方法であって、
前記画像形成装置が複写処理した場合、当該画像形成装置の複写枚数に関する情報を受信し、当該画像形成装置用に用意された複写枚数記憶手段を更新する第１の更新工程と、
前記画像形成装置から、前記広告データ配信装置側が提供するサービスのうち、過去の複写枚数に見合ったサービスの利用要求があったとき、利用要求されたサービスに応じた分だけ前記複写枚数記憶手段に記憶された複写枚数情報に基づくサービスに利用可能な情報を更新する第２の更新工程と、
前記画像形成装置での利用要求されたサービスに基づき、広告データの受信・配信を許可するための許可情報を前記画像形成装置及び前記広告データ配信装置に通知する許可情報通知工程と
を備えることを特徴とする印刷情報収集サーバの制御方法。
【請求項１６】
原稿画像を読み取り複写する画像形成装置、及び、記画像形成装置が有する表示部に表示するための広告情報を前記画像形成装置に配信する広告データ配信装置の双方と通信可能であって、コンピュータが読み込み実行することで、前記画像形成装置の複写情報を収集する印刷情報収集サーバとして機能するコンピュータプログラムであって、
前記画像形成装置が複写処理した場合、当該画像形成装置の複写枚数に関する情報を受信し、当該画像形成装置用に用意された複写枚数記憶手段を更新する第１の更新手段と、
前記画像形成装置から、前記広告データ配信装置側が提供するサービスのうち、過去の複写枚数に見合ったサービスの利用要求があったとき、利用要求されたサービスに応じた分だけ前記複写枚数記憶手段に記憶された複写枚数情報に基づくサービスに利用可能な情報を更新する第２の更新手段と、
前記画像形成装置での利用要求されサービスに基づき、広告データの受信・配信を許可するための許可情報を前記画像形成装置及び前記広告データ配信装置に通知する許可情報通知手段と
して機能することを特徴とするコンピュータプログラム。
【請求項１７】
請求項１６に記載のコンピュータプログラムを格納することを特徴とするコンピュータ可読記憶媒体。
【手続補正３】
【補正対象書類名】明細書
【補正対象項目名】０００８
【補正方法】変更
【補正の内容】
【０００８】
この課題を解決するため、例えば本発明の画像形成システムは以下の構成を備える。すなわち、
原稿画像を読み取り複写する少なくとも１つの画像形成装置と、前記画像形成装置から回線を介して複写情報を受信する印刷情報収集装置と、前記画像形成装置が有する表示部に表示するための広告情報を配信する少なくとも１つの広告データ配信装置で構成される画像形成システムであって、
前記印刷情報収集装置は、
前記画像形成装置の複写枚数に関する情報を受信する複写枚数情報受信手段と、
受信した複写枚数を累積記憶する複写枚数記憶手段と、
画像形成装置から、サービス利用要求の通知があったとき、通知されたサービス利用要求の通知情報に応じて前記記憶手段に記憶された複写枚数情報に基づくサービスに利用可能な情報を更新する記憶更新手段と、
通知されたサービス利用要求の通知情報に基づき、広告データの受信・配信を許可するための許可情報を前記画像形成装置、及び前記広告データ配信装置に通知する許可情報通知手段とを備え、
前記広告データ配信装置は、
前記許可情報通知手段で通知された許可情報を記憶保持する第１の記憶保持手段と、
前記記憶保持手段に記憶保持された許可情報と共に広告データを前記画像形成装置に送信する広告データ送信手段とを備え、
前記画像形成装置は、
複写が行われたとき、複写枚数を前記印刷情報収集装置に通知する印刷情報通知手段と、
操作者から過去の累積複写枚数に基づく前記広告データ配信装置側が提供するサービスの利用要求があった場合、当該利用要求を少なくとも前記印刷情報収集装置に通知するサービス利用要求手段と、
前記印刷情報収集装置から前記許可情報を受信し、記憶保持する第２の記憶保持手段と、
前記広告データ配信装置の前記広告データ送信手段による広告データの送信があったとき、前記第２の記憶手段に記憶保持された許可情報と照合して、広告データを受信するか否かを判定する判定手段と、
該判定手段により、照合できたと判断した場合、広告データを受信及び記憶し、表示手段に広告データを表示する表示制御手段とを備える。